(57)【特許請求の範囲】
【請求項１】
浴室用カウンタであって、
上面と下面と側端面とを有する天板と、
浴室空間を形成する壁面に取り付けられ、前記天板の前記下面を支持し、前記天板の全ての前記側端面を前記壁面及び浴槽から水平方向に離間させる支持材と、
を有する浴室用カウンタと、
前記天板の上方に設けられ、前記天板の前記上面に水を吐出可能な吐水口を有する水栓と、
を備え、
前記天板は、前記壁面側の後端部と、前記後端部と反対側の前端部と、を有し、
前記上面は、前記上面の上の水を前記前端部から落下させることができるように前記後端部から前記前端部に向かって下降傾斜しており、
前記支持材の上端は、前記天板の前記上面よりも下方に位置することを特徴とする浴室。
【請求項２】
前記支持材の下面は、前記天板の前端から前記壁面へ向かって下方へ傾斜した傾斜面を有することを特徴とする請求項１記載の浴室。
【請求項３】
前記天板は、前記前端部の厚みを前記後端部の厚みよりも薄くすることにより、前記上面を前記後端部から前記前端部に向かって下降傾斜させ、
前記支持材は、前記天板と前記壁面との間の中間部を有し、
前記中間部の横幅は、前記天板の横幅よりも小さいことを特徴とする請求項１又は２に記載の浴室。
【請求項４】
上面と下面と側端面とを有する天板と、
浴室空間を形成する壁面に取り付けられ、前記天板の前記下面を支持し、前記天板の全ての前記側端面を前記壁面及び浴槽から水平方向に離間させる支持材と、
を備え、
前記天板は、前記壁面側の後端部と、前記後端部と反対側の前端部と、を有し、
前記上面は、前記上面の上の水を前記前端部から落下させることができるように前記後端部から前記前端部に向かって下降傾斜しており、
前記支持材の上端は、前記天板の前記上面よりも下方に位置することを特徴とする浴室用カウンタ。
【発明の詳細な説明】
【技術分野】
【０００１】
本発明の態様は、一般的に、浴室及び浴室用カウンタに関する。
【背景技術】
【０００２】
例えば、家庭の浴室などにおいて身体を洗う作業を楽にするために、浴室用カウンタが浴室の壁に取り付けられる場合がある。使用者は、浴室用カウンタを利用することにより洗面器を洗い場よりも上方に置くことができる。
【０００３】
ここで、トップ部材、ボディ部材、及びブラケットの３つの部材で構成されたカウンタがある（特許文献１）。特許文献１に記載されたカウンタでは、ブラケットは、壁面へ固定され、トップ部材を支持している。トップ部材は、トップ面よりも一段低く形成された溝形成部を後方側に有しており、溝形成部の上面が排水溝の底面となる（特許文献１、図５参照）。
【０００４】
しかし、特許文献１に記載されたカウンタでは、トップ部材と壁面とが成す角部において入隅が形成されてしまう。特許文献１のカウンタでは、排水溝の前後方向の幅が比較的狭いため、入隅を掃除することは困難であり、入隅にこびりついた水垢や石鹸カスなどを落とすことは容易ではない。従って、入隅の掃除には手間がかかる。
【０００５】
これに対して、カウンタが浴槽および壁面から離れて設けられたカウンタ付き浴室がある（特許文献２）。特許文献２に記載されたカウンタ付き浴室では、支柱がカウンタを長手方向に貫通し、カウンタを支持している。しかし、特許文献２に記載されたカウンタ付き浴室であっても、支柱がカウンタを貫通しているため、カウンタの側端面と支柱とが成す角部において入隅が形成される。この入隅を掃除することは困難であり、入隅に付着した汚れを落とすことは容易ではなく、入隅の掃除に手間がかかるという点においては、改善の余地がある。
【先行技術文献】
【特許文献】
【０００６】
【特許文献１】特開２０１１−６７３４０号公報
【特許文献２】特開２０１３−１７９９８７号公報
【発明の概要】
【発明が解決しようとする課題】
【０００７】
本発明は、かかる課題の認識に基づいてなされたものであり、清掃性を向上させた浴室及び浴室用カウンタを提供することを目的とする。
【課題を解決するための手段】
【０００８】
第１の発明は、浴室用カウンタであって、上面と下面と側端面とを有する天板と、浴室空間を形成する壁面に取り付けられ、前記天板の前記下面を支持し、前記天板の全ての前記側端面を前記壁面及び浴槽から水平方向に離間させる支持材と、を有する浴室用カウンタと、前記天板の上方に設けられ、前記天板の前記上面に水を吐出可能な吐水口を有する水栓と、を備え、前記天板は、前記壁面側の後端部と、前記後端部と反対側の前端部と、を有し、前記上面は、前記上面の上の水を前記前端部から落下させることができるように前記後端部から前記前端部に向かって下降傾斜しており、前記支持材の上端は、前記天板の前記上面よりも下方に位置することを特徴とする浴室である。
【０００９】
この浴室によれば、天板が浴槽及び壁面から水平方向に離間しているため、天板と浴槽との間及び天板と壁面との間に入隅が形成されることを抑えることができる。これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室用カウンタの見栄えをより良好にすることができる。
【００１０】
また、天板の全ての側端面が浴槽および壁面から水平方向に離間しているため、例えば清掃者は、汚れが付着した天板の側端面を端から端まで洗剤およびスポンジなどの清掃用具でより簡単に擦り洗いすることができる。
【００１１】
さらに、天板の上面を下降傾斜させているため、水栓を止水しきれていない状態で使用者が浴室を出たとしても、水栓の吐水口から落下する水滴が天板後方に流れていくことを抑制することができる。従って、そのような状態になったとしても、天板後方の支持材上に水滴が流れ落ちて支持材上に留まることを抑制することができる。従って、天板後方の支持材を汚れ難くし、清掃の手間を軽減して清掃性を向上させることができる。
【００１２】
第２の発明は、第１の発明において、前記支持材の下面は、前記天板の前端から前記壁面へ向かって下方へ傾斜した傾斜面を有することを特徴とする浴室である。
【００１４】
第３の発明は、第１又は第２の発明において、前記天板は、前記前端部の厚みを前記後端部の厚みよりも薄くすることにより、前記上面を前記後端部から前記前端部に向かって下降傾斜させ、前記支持材は、前記天板と前記壁面との間の中間部を有し、前記中間部の横幅は、前記天板の横幅よりも小さいことを特徴とする浴室である。
【００１５】
この浴室によれば、天板の前端部の厚みを薄くすることで天板上面を下降傾斜させているため、天板上面の排水が流れてきやすい前端部の面積を小さく抑えることができる。従って、支持材の清掃の手間を軽減しつつも、天板の前端部の清掃性までをも向上させることができる。また、この浴室によれば、支持材の中間部の横幅を天板の横幅よりも小さくしているため、排水で汚れやすい中間部の上部の面積を小さく抑えることができ、より支持材の清掃性を高めることができる。
【００１６】
第４の発明は、上面と下面と側端面とを有する天板と、浴室空間を形成する壁面に取り付けられ、前記天板の前記下面を支持し、前記天板の全ての前記側端面を前記壁面及び浴槽から水平方向に離間させる支持材と、を備え、前記天板は、前記壁面側の後端部と、前記後端部と反対側の前端部と、を有し、前記上面は、前記上面の上の水を前記前端部から落下させることができるように前記後端部から前記前端部に向かって下降傾斜しており、前記支持材の上端は、前記天板の前記上面よりも下方に位置することを特徴とする浴室用カウンタである。
【００１７】
この浴室用カウンタによれば、天板が浴槽及び壁面から水平方向に離間しているため、天板と浴槽との間及び天板と壁面との間に入隅が形成されることを抑えることができる。これにより、水が入隅に溜まることを抑え、水垢や石鹸カスなどによる汚れが入隅に発生することを抑えることができる。また、入隅が形成されることを抑えることができるため、例えばシリコーンなどのシール材を入隅に塗布する必要がなく、浴室用カウンタの見栄えをより良好にすることができる。
【００１８】
また、天板の全ての側端面が浴槽および壁面から水平方向に離間しているため、例えば清掃者は、汚れが付着した天板の側端面を端から端まで洗剤およびスポンジなどの清掃用具でより簡単に擦り洗いすることができる。
【００１９】
さらに、天板の上面を下降傾斜させているため、天板上面に水が溜まることを抑制することができる。これにより、例えば、上面に溜まった水が乾燥して、上面に水垢が発生したり、汚れが付着することを抑制することができる。従って、清掃の手間を軽減し、浴室用カウンタの清掃性を向上させることができる。また、上面を前方に向けて下降傾斜させているため、上面に溜まった水が支持材上に流れ落ちることを抑制することができる。これにより、支持材の上部に汚れが発生することを抑制することができる。例えば、天板の上方に水栓が設けられている場合に、水栓を止水しきれていない状態で使用者が浴室を出たとしても、水栓の吐水口から落下する水滴が天板後方に流れていくことを抑制することができる。従って、そのような状態になったとしても、天板後方の支持材上に水滴が流れ落ちて支持材上に留まることを抑制することができる。従って、天板後方の支持材を汚れ難くし、清掃の手間を軽減して清掃性を向上させることができる。
【発明の効果】
【００２０】
本発明の態様によれば、清掃性を向上させた浴室及び浴室用カウンタが提供される。
【図面の簡単な説明】
【００２１】
【図１】本実施形態にかかる浴室を表す模式的斜視図である。
【図２】本実施形態にかかる浴室を表す模式的側面図である。
【図３】本実施形態にかかる浴室を表す模式的正面図である。
【図４】本実施形態の水栓カウンタを表す模式的正面図である。
【図５】本実施形態にかかる浴室を表す模式的平面図である。
【図６】本実施形態の浴室用カウンタを表す模式的平面図である。
【図７】本実施形態の浴室用カウンタを表す模式的底面図である。
【図８】本実施形態の変形例にかかる浴室用カウンタを表す模式的分解図である。
【図９】本変形例にかかる浴室用カウンタを表す模式的側面図である。
【図１０】本変形例にかかる浴室用カウンタを表す模式的側面図である。
【図１１】本願発明者が実施した検討を説明する模式的側面図である。
【図１２】天板の手入れ方法の一例を例示する模式的平面図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、本実施形態にかかる浴室を表す模式的斜視図である。  
図２は、本実施形態にかかる浴室を表す模式的側面図である。  
図３は、本実施形態にかかる浴室を表す模式的正面図である。  
図２は、図１に表した矢印Ａ１の方向にみたときの浴室を表す模式的側面図である。図２では、説明の便宜上、浴槽および鏡を省略している。図３は、図１に表した矢印Ａ２の方向にみたときの浴室を表す模式的正面図である。
【００２３】
図１〜図３に表したように、本実施形態にかかる浴室１０は、浴槽２００と、浴室用カウンタ３００と、水栓カウンタ４００（水栓）と、を備える。浴室１０は、鏡５００を備えていてもよい。
【００２４】
浴室１０は、第１の壁面１１０と第２の壁面１２０とを含む複数の壁面（側壁）と、床面と、天井面と、を有する。各壁面と床面と天井面とは、浴室空間ＢＳを形成する。浴室空間ＢＳは、各壁面と床面と天井面とで囲まれた空間である。浴槽２００は、浴室空間ＢＳ内に設けられる。浴槽２００は、浴室空間ＢＳの床面に設けられる。浴室空間ＢＳの床面には、浴槽２００と並べて洗い場１００が設けられる。
【００２５】
浴室用カウンタ３００および水栓カウンタ４００は、浴室１０の洗い場１００の第１の壁面１１０に取り付けられている。第１の壁面１１０は、浴槽２００と、浴槽２００と対向する第２の壁面１２０と、の間に設けられ、浴槽２００および第２の壁面１２０と接続されている。換言すれば、第１の壁面１１０は、洗い場１００と浴槽２００とが並ぶ方向に延在し、洗い場１００、浴槽２００、及び第２の壁面１２０に接続される。
【００２６】
水栓カウンタ４００は、浴室用カウンタ３００よりも高い位置に設けられている。水栓カウンタ４００は、浴室用カウンタ３００に向けて水を吐出する。浴室１０では、例えば、シャンプーなどのボトルや洗面器を浴室用カウンタ３００の上に置くことにより、体を洗う作業を楽にすることができる。
【００２７】
図２及び図３に表したように、浴室用カウンタ３００は、天板３１０と、支持材３２０と、を有する。  
浴室用カウンタ３００の天板３１０は、第１の側端面３１１と、第２の側端面３１２と、第３の側端面３１３と、第４の側端面３１４と、上面３１６と、下面３１７と、を有する。すなわち、この例において、天板３１０は、略長方形状の板である。天板３１０の形状は、これに限ることなく、洗面器などを載置可能な任意の形状でよい。天板３１０は、例えば、連続した１つの側端面を有するものでもよい。天板３１０は、少なくとも上面３１６と下面３１７とを有する板状であればよい。
【００２８】
第１の側端面３１１は、第１の壁面１１０と対向し、第１の壁面１１０から水平方向に離間している。第２の側端面３１２は、浴槽２００の側面２１０と対向し、浴槽２００から水平方向に離間している。第３の側端面３１３は、第２の壁面１２０と対向し、第２の壁面１２０から水平方向に離間している。第４の側端面３１４は、洗い場１００と面し、浴槽２００、第１の壁面１１０、および第２の壁面１２０から水平方向に離間している。つまり、天板３１０においては、複数の側端面３１１〜３１４の全てが、浴槽２００、第１の壁面１１０、および第２の壁面１２０から水平方向に離間している。
【００２９】
支持材３２０は、第１の壁面１１０に取り付けられている。より具体的には、支持材３２０の一端は、第１の壁面１１０に固定されている。支持材３２０の他端は、天板３１０の下面３１７に固定され、天板３１０の下面３１７を支持している。このように、支持材３２０は、浴室空間ＢＳを形成する第１の壁面１１０に取り付けられ、天板３１０の下面３１７を支持し、天板を第１の壁面１１０、第２の壁面１２０、及び浴槽２００から水平方向に離間させる。支持材３２０は、天板３１０の複数の側端面３１１〜３１４の全てを、浴槽２００、第１の壁面１１０、および第２の壁面１２０から水平方向に離間させる。
【００３０】
天板３１０は、壁面側の後端部３１０ａと、後端部３１０ａと反対側の前端部３１０ｂと、を有する。この例において、後端部３１０ａは、第１の側端面３１１である。前端部３１０ｂは、第４の側端面３１４である。後端部３１０ａは、天板３１０において最も後方の部分である。前端部３１０ｂは、天板３１０において最も前方の部分である。
【００３１】
本願明細書において、「前方」とは、浴室用カウンタ３００および水栓カウンタ４００が第１の壁面１１０に取り付けられた状態において、第１の壁面１１０に垂直な方向であって第１の壁面１１０からみて浴室用カウンタ３００および水栓カウンタ４００の側の方向をいう。換言すれば、「前方」とは、第１の壁面１１０から離間する方向である。本願明細書において、「後方」とは、「前方」とは反対の方向をいう。本願明細書において、「下方」とは、浴室用カウンタ３００および水栓カウンタ４００が第１の壁面１１０に取り付けられた状態において、鉛直方向であって水栓カウンタ４００からみて浴室用カウンタ３００の側の方向をいう。本願明細書において、「上方」とは、「下方」とは反対の方向をいう。
【００３２】
天板３１０の上面３１６は、後端部３１０ａから前端部３１０ｂに向かって下降傾斜している。換言すれば、上面３１６の高さは、後端部３１０ａから前端部３１０ｂに向かって低くなる。これにより、浴室用カウンタ３００では、天板３１０の上面３１６の上の水を前方に流し、洗い場１００（床面）に落下させることができる。従って、浴室用カウンタ３００では、上面３１６の上に水が溜まってしまうことを抑制することができる。
【００３３】
上面３１６の傾斜角度は、上面３１６に著しく残水しない排水勾配であり、かつ上面３１６の上の載置物（シャンプーボトルなど）が滑り落ちない角度に設定される。上面３１６と水平面ＨＳとの成す角度ωは、好ましくは、１．１５°以上１．９１°以下である。
【００３４】
天板３１０の前端部３１０ｂの厚みｔ２は、後端部３１０ａの厚みｔ１よりも薄い。天板３１０の厚みは、後端部３１０ａから前端部３１０ｂに向かって連続的に減少する。このように、天板３１０は、厚みを変化させることにより、上面３１６を後端部３１０ａから前端部３１０ｂに向かって下降傾斜させる。
【００３５】
この例において、天板３１０の下面３１７は、水平面ＨＳと実質的に平行である。例えば、天板３１０の厚みは、実質的に一定とし、上面３１６及び下面３１７の双方を傾けることによって、上面３１６を下降傾斜させてもよい。
【００３６】
水栓カウンタ４００は、水栓カウンタ本体４１０と、支持材４２０と、を有する。水栓カウンタ本体４１０は、天板４１０ａと、水栓内蔵部（図示せず）と、を有する。水栓内蔵部は、天板４１０ａの下に設けられている。さらに、水栓カウンタ本体４１０は、水栓内蔵部が露出しないよう、水栓内蔵部の周囲を覆うカバー４１５を有する。
【００３７】
図２に表したように、支持材４２０は、浴室用カウンタ３００の支持材３２０よりも高い位置（上方）に設けられ、第１の壁面１１０に取り付けられている。より具体的には、支持材４２０の一端は、第１の壁面１１０に固定されている。支持材４２０の他端は、水栓カウンタ本体４１０の第１の側端面４１１（背面）に固定され、水栓カウンタ本体４１０の第１の側端面４１１を支持している。支持材４２０は、下面４０３および水栓カウンタ本体４１０の第１の側端面４１１に固定され、下面４０３および第１の側端面４１１を支持していてもよい。支持材４２０は、水栓カウンタ本体４１０の下面４０３および第１の側端面４１１の少なくともいずれかを支持する。
【００３８】
図１および図２に表したように、水栓カウンタ本体４１０は、浴室用カウンタ３００の天板３１０よりも高い位置に設けられ、浴槽２００、第１の壁面１１０および第２の壁面１２０から離間している。水栓カウンタ本体４１０の上面４１６は、略平坦である。水栓カウンタ本体４１０の上面４１６には、排水のための傾斜が設けられていてもよい。この場合、経年によって傾斜方向が変わらないよう、水栓カウンタ本体４１０の上面４１６を前方側に下降傾斜させておくことが好ましい。このように上面４１６を前方側に下降傾斜させたとしても、天板３１０の上面３１６を前方側に下降傾斜させているため、水栓カウンタ本体４１０の上面４１６から前方側に流れる落ちる水滴が天板３１０の上面３１６に落下しても、天板３１０の上面３１６に水が溜まることを抑制できると共に、天板３１０後方の支持材の上面に水が溜まることを抑制できる。なお、水栓カウンタ本体４１０の上面４１６は、天板４１０ａの上面と同じである。
【００３９】
水栓カウンタ４００は、水栓４４１を内蔵する。水栓カウンタ４００は、水栓４４１を通して供給された水を吐水口４０１から吐出する。例えば、水栓カウンタ４００は、浴室用カウンタ３００の天板３１０の上に載置された洗面器に吐水口４０１から水を供給する。このように、水栓カウンタ４００は、浴室用カウンタ３００の天板３１０の上面３１６に水を吐出可能な吐水口４０１を有する。吐水口４０１は、例えば、水栓カウンタ本体４１０の横方向の中央付近に設けられる。これにより、例えば、浴室用カウンタ３００の中央付近に洗面器を置くことができ、浴室１０の使い勝手を向上させることができる。また、吐水口４０１は、上面視において、天板３１０と重複する位置に設けられている。
【００４０】
水栓カウンタ本体４１０の水栓内蔵部には、温度調整ユニット（図示せず）や流量調整ユニット（図示せず）などが設けられている。本願明細書において、「水」には、冷水のみならず、加温されたお湯が含まれる。
【００４１】
図２に表したように、浴室用カウンタ３００の支持材３２０は、上面３２２と、下面３２４と、を有する。上面３２２は、天板３１０から第１の壁面１１０へ向かって下方へ傾斜した傾斜面３２２ａ（第１の傾斜面）を有する。下面３２４は、天板３１０から第１の壁面１１０へ向かって下方へ傾斜した傾斜面３２４ａ（第２の傾斜面）を有する。
【００４２】
また、この例において、支持材３２０は、立面部３２６をさらに有する。立面部３２６は、上面３２２（傾斜面３２２ａ）に接続されている。立面部３２６は、上面３２２の上端から上方に延在する。立面部３２６は、上面３２２の上端と天板３１０の下面３１７との間に延在する。立面部３２６は、例えば、第１の壁面１１０と実質的に平行である。立面部３２６は、必要に応じて設けられ、省略可能である。
【００４３】
図２に表したように、水栓カウンタ４００の支持材４２０は、上面４２２と、下面４２４と、を有する。上面４２２は、水栓カウンタ本体４１０から第１の壁面１１０へ向かって下方へ傾斜した傾斜面４２２ａ（第３の傾斜面）を有する。下面４２４は、水栓カウンタ本体４１０から第１の壁面１１０へ向かって下方へ傾斜した傾斜面４２４ａ（第４の傾斜面）を有する。
【００４４】
上面４２２が有する傾斜面４２２ａの傾斜は、上面３２２が有する傾斜面３２２ａの傾斜よりも緩やかである。すなわち、上面４２２が有する傾斜面４２２ａと、水平面ＨＳと、の間の角度Ｂ２は、上面３２２が有する傾斜面３２２ａと、水平面ＨＳと、の間の角度Ｂ１よりも小さい。
【００４５】
下面４２４が有する傾斜面４２４ａの傾斜は、下面３２４が有する傾斜面３２４ａの傾斜よりも緩やかである。すなわち、下面４２４が有する傾斜面４２４ａと、水平面ＨＳと、の間の角度Ｂ４は、下面３２４が有する傾斜面３２４ａと、水平面ＨＳと、の間の角度Ｂ３よりも小さい。
【００４６】
ここで、支持材３２０と第１の壁面１１０との間には、入隅が形成されている。また、支持材４２０と第１の壁面１１０との間には、入隅が形成されている。本願明細書において「入隅」とは、複数の面が互いに接続された箇所の内側の部分をいうものとする。あるいは、本願明細書において「入隅」とは、複数の面が互いに接続された箇所の凹んだ部分をいうものとする。入隅を掃除することは困難であり、入隅に付着した汚れを落とすことは容易ではない。このため、浴室では、入隅の掃除にかかる手間を軽減させ、清掃性を向上させることが望まれる。
【００４７】
本実施形態に係る浴室１０では、浴室用カウンタ３００の天板３１０が浴槽２００、第１の壁面１１０、及び第２の壁面１２０から水平方向に離間している。このため、天板３１０と浴槽２００との間及び天板３１０と第１の壁面１１０との間に入隅が形成されることを抑えることができる。これにより、水が入隅に溜まることを抑え、水垢や石鹸カスなどによる汚れが入隅に発生することを抑えることができる。また、天板３１０に入隅が形成されることを抑えることができるため、例えばシリコーンなどのシール材を入隅に塗布する必要がなく、浴室用カウンタ３００の見栄えをより良好にすることができる。
【００４８】
さらに、天板３１０の上面３１６を下降傾斜させているため、上面３１６に水が溜まることを抑制することができる。これにより、例えば、上面３１６に溜まった水が乾燥して、上面３１６に水垢が発生することを抑制することができる。従って、清掃の手間を軽減し、浴室用カウンタ３００の清掃性を向上させることができる。
【００４９】
例えば、上面３１６を前端部３１０ｂから後端部３１０ａに向かって下降傾斜させることも考えられる。しかしながら、この場合には、上面３１６に溜まった水が支持材３２０の上に流れ、支持材３２０の上面３２２に汚れを発生させてしまうことが懸念される。また、上面３１６を前端部３１０ｂから後端部３１０ａに向かって下降傾斜させた場合には、経年変化によって傾きが小さくなり、排水性が低下してしまうことが懸念される。
【００５０】
これに対して、本実施形態に係る浴室用カウンタ３００では、上面３１６を前方に向けて下降傾斜させているため、上面３１６に溜まった水が支持材３２０上に流れ落ちることを抑制することができる。これにより、支持材３２０の上面３２２に汚れが発生することを抑制することができる。
【００５１】
例えば、水栓カウンタ４００の水栓４４１を止水しきれていない状態で使用者が浴室１０を出た場合、図２に表したように、水栓４４１の吐水口４０１から吐出された水滴ＷＤ１が、天板３１０の上に落下する。この場合、天板３１０の上に溜まった水滴ＷＤ２は、水滴ＷＤ３で表したように、天板３１０の傾斜に従って前方に移動し、天板３１０の前端部３１０ｂから洗い場１００に流れ落ちる。
【００５２】
このように、水栓カウンタ４００の水栓４４１を止水しきれていない状態で使用者が浴室１０を出たとしても、水栓４４１の吐水口４０１から落下する水滴ＷＤ１が天板３１０の後方に流れていくことを抑制することができる。従って、そのような状態になったとしても、天板３１０の後方の支持材３２０上に水滴が流れ落ちて支持材３２０上に留まることを抑制することができる。従って、天板３１０の後方の支持材３２０を汚れ難くし、清掃の手間を軽減して清掃性を向上させることができる。
【００５３】
また、本実施形態によれば、上面３２２の傾斜面３２２ａおよび下面３２４の傾斜面３２４ａは、天板３１０から第１の壁面１１０へ向かって下方へ傾斜している。そのため、上面３２２が第１の壁面１１０に接続された部分３２２ｂは、天板３１０の下面３１７よりも下方に存在する。そのため、支持材３２０と第１の壁面１１０との間の入隅は、浴室用カウンタ３００を使用する使用者の目線では天板３１０の死角に入る。そのため、水や汚れが支持材３２０と第１の壁面１１０との間の入隅に溜まった場合でも、その入隅に溜まった水や汚れが使用者に視認されてしまうことを抑制することができる。これにより、落としづらい汚れが使用者に曝されることを抑え、浴室１０の美観を良好にすることができる。
【００５４】
また、上面４２２の傾斜面４２２ａおよび下面４２４の傾斜面４２４ａは、水栓カウンタ本体４１０から第１の壁面１１０へ向かって下方へ傾斜している。そのため、上面４２２が第１の壁面１１０に接続された部分４２２ｂは、天板４１０ａの下面４１７よりも下方に存在する。そのため、支持材４２０と第１の壁面１１０との間の入隅は、水栓カウンタ４００を使用する使用者の目線では水栓カウンタ本体４１０の死角に入る。そのため、水や汚れが支持材４２０と第１の壁面１１０との間の入隅に溜まった場合でも、その入隅に溜まった水や汚れが使用者に視認されてしまうことを抑制することができる。これにより、落としづらい汚れが使用者に曝されることを抑え、浴室１０の美観を良好にすることができる。
【００５５】
さらに、支持材４２０が支持材３２０よりも上方に設けられ、上面４２２の傾斜面４２２ａの傾斜は、上面３２２の傾斜面３２２ａの傾斜よりも緩やかである。また、下面４２４の傾斜面４２４ａの傾斜は、下面３２４の傾斜面３２４ａの傾斜よりも緩やかである。そのため、支持材３２０および支持材４２０の両方を使用者の目線から視認し難くすることができる。これにより、浴室用カウンタ３００および水栓カウンタ４００の両方が浮いているように使用者に認識させることができるため、浴室１０の美観をより向上させることができる。
【００５６】
また、浴室用カウンタ３００の支持材３２０に立面部３２６が設けられている場合は、傾斜面３２２ａの傾斜はより緩くしても、同様の効果を得ることができる。すなわち、例えば、Ｂ１＜Ｂ２＜Ｂ４＜Ｂ３との関係に各傾斜面を形成しても、浴室用カウンタ３００および水栓カウンタ４００の両方が浮いているように使用者に認識させることができ、浴室１０の美観を向上させることができる。
【００５７】
また、浴室用カウンタ３００では、天板３１０の前端部３１０ｂの厚みｔ２を後端部３１０ａの厚みｔ１よりも薄くすることにより、上面３１６を後端部３１０ａから前端部３１０ｂに向かって下降傾斜させている。これにより、上面３１６の排水が流れてきやすい前端部３１０ｂの面積を小さく抑えることができる。従って、支持材３２０の清掃の手間を軽減しつつも、天板３１０の前端部３１０ｂの清掃性までをも向上させることができる。
【００５８】
さらに、浴室１０では、天板３１０の複数の側端面３１１〜３１４の全てを、浴槽２００、第１の壁面１１０、および第２の壁面１２０から水平方向に離間させている。これにより、例えば清掃者は、汚れが付着した天板３１０の各側端面３１１〜３１４を端から端まで洗剤およびスポンジなどの清掃用具でより簡単に擦り洗いすることができる。なお、側端面３１１〜３１４は、平面ではなく曲面を有していてもよい。例えば、側端面３１１〜３１４は、外方に向かって凸状に湾曲した形状でもよい。これによれば、例えば清掃者は、拭き掃除を一層手軽に行うことができる。
【００５９】
図４は、本実施形態の水栓カウンタを表す模式的正面図である。  
図５は、本実施形態にかかる浴室を表す模式的平面図である。  
図６は、本実施形態の浴室用カウンタを表す模式的平面図である。  
図７は、本実施形態の浴室用カウンタを表す模式的底面図である。  
図４は、図１に表した矢印Ａ２の方向にみたときの水栓カウンタを表す模式的正面図である。図５は、図１に表した矢印Ａ３の方向にみたときの浴室を表す模式的平面図である。図６は、図１に表した矢印Ａ３の方向にみたときの浴室用カウンタを表す模式的平面図である。図７は、図１に表した矢印Ａ４の方向にみたときの浴室用カウンタを表す模式的底面図である。
【００６０】
前述したように、支持材３２０は、第１の壁面１１０に取り付けられている。図３および図７に表したように、支持材３２０の一端は、例えばボルトなどの締結具３７２により第１の壁面１１０に固定されている。支持材３２０の他端は、例えばネジなどの締結具３７１により天板３１０の下面３１７に固定されている。支持材３２０は、例えば、締結具３７１などを介して天板３１０を直接的に支持する。
【００６１】
第１の側端面３１１と第１の壁面１１０との間には、隙間Ｓ１が存在する。第１の側端面３１１と、第１の壁面１１０と、の間の距離Ｄ１は、例えば約５０ミリメートル（ｍｍ）程度である。第２の側端面３１２と浴槽２００の側面２１０との間には、隙間Ｓ２が存在する。第２の側端面３１２と、浴槽２００の側面２１０と、の間の距離Ｄ２は、例えば約７０ｍｍ程度である。第３の側端面３１３と第２の壁面１２０との間には、隙間Ｓ３が存在する。第３の側端面３１３と、第２の壁面１２０と、の間の距離Ｄ３は、例えば約７０ｍｍ程度である。
【００６２】
第１の側端面３１１、第２の側端面３１２、および第３の側端面３１３の拭き掃除をするために、距離Ｄ１〜距離Ｄ３は、より適切な距離に適宜設定されている。具体的には、距離Ｄ１〜距離Ｄ３のそれぞれは、スポンジ等の清掃用具を挿入しやすくするため、例えば約３０ｍｍ以上であることがより好ましい。また、手の甲が拭き掃除の際に第１の壁面１１０、第２の壁面１２０、および浴槽２００に当たらないようにするためには、距離Ｄ１〜距離Ｄ３のそれぞれは、例えば約５０ｍｍ以上であることがより好ましい。天板３１０が洗い場１００に比較的大きく張り出すことを抑えるため、距離Ｄ１は、３０ｍｍ以上５０ｍｍ以下であることがより好ましい。
【００６３】
前述したように、支持材４２０は、第１の壁面１１０に取り付けられている。図３および図４に表したように、支持材４２０の下面４２４が第１の壁面１１０に接続された部分４２４ｂは、水栓カウンタ本体４１０の下面４０３よりも下方に存在する。
【００６４】
水栓カウンタ４００の水栓カウンタ本体４１０は、第１の側端面４１１と、第２の側端面４１２と、第３の側端面４１３と、第４の側端面４１４と、上面４１６と、下面４０３と、を有し、支持材４２０により支持されている。第１の側端面４１１は、第１の壁面１１０と対向し、第１の壁面１１０から水平方向に離間している。第２の側端面４１２は、浴槽２００の側面２１０と対向し、浴槽２００から水平方向に離間している。第３の側端面４１３は、第２の壁面１２０と対向し、第２の壁面１２０から水平方向に離間している。第４の側端面４１４は、洗い場１００と面し、浴槽２００、第１の壁面１１０、および第２の壁面１２０から水平方向に離間している。つまり、水栓カウンタ本体４１０の全ての側端面（第１の側端面４１１、第２の側端面４１２、第３の側端面４１３、および第４の側端面４１４）は、浴槽２００、第１の壁面１１０、および第２の壁面１２０から水平方向に離間している。
【００６５】
第１の側端面４１１と第１の壁面１１０との間には、隙間Ｓ１１が存在する。第１の側端面４１１と、第１の壁面１１０と、の間の距離Ｄ１１は、例えば約３０ｍｍ程度である。水栓カウンタ本体４１０の上面４１６には、小物などが置かれることがある。そのため、隙間Ｓ１１が広すぎると、水栓カウンタ４００の使い勝手に支障が生ずることがある。清掃性および載置性を考慮すると、距離Ｄ１１は、例えば約１０ｍｍ〜３０ｍｍ程度であることが好ましい。第２の側端面４１２と浴槽２００の側面２１０との間には、隙間Ｓ１２が存在する。第２の側端面４１２と、浴槽２００の側面２１０と、の間の距離Ｄ１２は、例えば約７５ｍｍ程度である。第３の側端面４１３と第２の壁面１２０との間には、隙間Ｓ１３が存在する。第３の側端面４１３と、第２の壁面１２０と、の間の距離Ｄ１３は、例えば約７５ｍｍ程度である。水栓カウンタ４００の下に存在する浴室用カウンタ３００と、水栓カウンタ４００と、のバランスを考慮すると、水栓カウンタ４００の幅（横幅Ｄ１４（図３参照））が浴室用カウンタ３００の幅（横幅Ｄ４（図３参照））よりも短い方が、横幅Ｄ１４が横幅Ｄ４よりも長い場合と比較して見栄えがよい。さらに、清掃性を考慮すると、距離Ｄ１２および距離Ｄ１３のそれぞれは、５０ｍｍ以上であることが好ましい。
【００６６】
図３に表したように、支持材３２０の横幅（横方向の長さ）Ｄ５は、天板３１０の横幅Ｄ４よりも小さい。  
図３および図４に表したように、支持材４２０の横幅Ｄ１５は、水栓カウンタ本体４１０の横幅Ｄ１４より小さい。  
本願明細書において「横方向」とは、水平方向であって壁面１１０に平行な方向をいう。
【００６７】
本実施形態によれば、天板３１０の全ての側端面が浴槽２００、第１の壁面１１０、および第２の壁面１２０から水平方向に離間しているため、天板３１０と浴槽２００との間、天板３１０と第１の壁面１１０との間、および天板３１０と第２の壁面１２０との間において入隅が形成されることを抑えることができる。
【００６８】
また、支持材３２０の端部（他端）が天板３１０の下面３１７を支持するため、天板３１０の上面３１６と支持材３２０との間、および天板３１０の全ての側端面と支持材３２０との間において入隅が形成されることを抑えることができる。
【００６９】
また、本実施形態によれば、水栓カウンタ本体４１０の全ての側端面が浴槽２００、第１の壁面１１０、および第２の壁面１２０から水平方向に離間しているため、水栓カウンタ本体４１０と浴槽２００との間、水栓カウンタ本体４１０と第１の壁面１１０との間、および水栓カウンタ本体４１０と第２の壁面１２０との間において入隅が形成されることを抑えることができる。
【００７０】
また、支持材４２０の端部（他端）が水栓カウンタ本体４１０の下面４０３を支持する場合には、水栓カウンタ本体４１０の上面４１６と支持材４２０との間、および水栓カウンタ本体４１０の全ての側端面と支持材４２０との間において入隅が形成されることを抑えることができる。
【００７１】
これにより、水が入隅に溜まることを抑え、汚れが入隅に発生することを抑えることができる。また、入隅が形成されることを抑えることができるため、例えばシリコーンなどのシール材を入隅に塗布する必要がなく、浴室１０の美観をより向上させることができる。
【００７２】
さらに、本実施形態によれば、支持材４２０の下面４２４が第１の壁面１１０に接続された部分４２４ｂは、水栓カウンタ本体４１０の下面４０３よりも下方に存在する。そのため、例えば清掃者は、支持材４２０の下面４２４と第１の壁面１１０との間の入隅を清掃する際には、水栓カウンタ本体４１０の下方の奥側（第１の壁面１１０の側）にもぐり込まなくとも、下面４２４と第１の壁面１１０との間の入隅を視認することができる。これにより、清掃作業時の負担を軽減することができる。
【００７３】
また、支持材３２０の横幅Ｄ５は、天板３１０の横幅Ｄ４よりも小さい。支持材４２０の横幅Ｄ１５は、水栓カウンタ本体４１０の横幅Ｄ１４より小さい。これにより、水がかかりやすい支持材３２０および支持材４２０の上面に水が溜まる面積を小さく抑えることができるため、支持材３２０の上面３２２および支持材４２０の上面４２２において、汚れが発生する面積を抑えることができる。そのため、支持材３２０および支持材４２０を清掃する手間を低減することができる。
【００７４】
図６に表したように、支持材３２０は、天板３１０と第１の壁面１１０との間の中間部３２０ｍを有する。中間部３２０ｍは、より詳しくは、支持材３２０において、上方から見た時に天板３１０と第１の壁面１１０との間に露呈する部分である。中間部３２０ｍの横幅Ｄ６は、天板３１０の横幅Ｄ４よりも小さい。これにより、排水で汚れやすい中間部３２０ｍの上部（上面３２２）の面積を小さく抑えることができ、より支持材３２０の清掃性を高めることができる。
【００７５】
中間部３２０ｍは、天板３１０の横方向の中央付近に設けられる。これにより、天板３１０と第１の壁面１１０との間において、中間部３２０ｍの左右両側に光の通る領域が形成される。これにより、使用者に対して、浴室用カウンタ３００をより浮いているように見せることができる。また、浴室用カウンタ３００の下方を明るくすることもできる。
【００７６】
また、中間部３２０ｍを少なくとも天板３１０の横方向の中央に配置する。これにより、中間部３２０ｍの横幅Ｄ６を天板３１０の横幅Ｄ４よりも小さくした場合においても、荷重の偏りを抑制し、天板３１０を適切に支持することができる。例えば、中間部３２０ｍの横幅Ｄ６を天板３１０の横幅Ｄ４よりも小さくした場合においても、適切な強度を得ることができる。
【００７７】
前述のように、水栓カウンタ４００の吐水口４０１は、水栓カウンタ本体４１０の横方向の中央付近に設けられる。従って、中間部３２０ｍの横方向の位置は、吐水口４０１の横方向の位置と重なる（図３参照）。浴室用カウンタ３００では、天板３１０の上面３１６が前方に向かって下降傾斜している。このため、横方向の位置が吐水口４０１と重なるように中間部３２０ｍを配置した場合でも、吐水口４０１から漏れ出た水が支持材３２０の上面３２２に流れてしまうことを抑制することができる。水栓カウンタ４００の水栓４４１を止水しきれていない状態で使用者が浴室１０を出たとしても、支持材３２０上に水滴が流れ落ちて支持材３２０上に留まることを抑制することができる。
【００７８】
次に、本実施形態にかかる浴室用カウンタの変形例について、図面を参照しつつ説明する。  
図８は、本実施形態の変形例にかかる浴室用カウンタを表す模式的分解図である。  
図９は、本変形例にかかる浴室用カウンタを表す模式的側面図である。  
図１０は、本変形例にかかる浴室用カウンタを表す模式的側面図である。  
図９は、図１に表した矢印Ａ１の方向にみたときの本変形例にかかる浴室用カウンタを表す模式的平面図に相当する。
【００７９】
図８〜図１０に表したように、本変形例にかかる浴室用カウンタ３０２は、天板３１０と、支持材３２０と、補強材３３０と、を備える。支持材３２０は、支持材本体３６０と、第１のカバー３４０および第２のカバー３５０（支持材カバー）と、を有する。図１０に表したように、支持材本体３６０の一端は、第１の壁面１１０に固定されている。支持材本体３６０の他端は、補強材３３０を介して天板３１０の下面３１７を支持している。このように、支持材３２０は、補強材３３０を介して天板３１０を間接的に支持してもよいし、図７などに関して説明したように、天板３１０を直接支持してもよい。なお、図１０は、図６に表した浴室用カウンタ３００の切断面Ａ−Ａの位置に相当する浴室用カウンタ３０２の模式的断面図である。
【００８０】
補強材３３０は、支持材本体３６０と、天板３１０と、の間に設けられている。補強材３３０は、脚部３３１を有し、支持材本体３６０の上に載置されている。補強材３３０は、天板３１０を支持するとともに天板３１０を補強する。
【００８１】
図１０に表したように、この例において、天板３１０は、下方に開口した開口箱状である。天板３１０の下面３１７には、下方に向かって延びる複数のリブ３１７ａ、３１７ｂ、３１７ｃ、３１７ｄ、３１７ｅが設けられている。各リブ３１７ａ〜３１７ｅは、例えば、下方に延びるとともに、横方向に延びる。このように、天板３１０を開口箱状に形成し、複数のリブ３１７ａ〜３１７ｅを設ける。これにより、例えば、天板３１０の剛性の低下を抑制しつつ、天板３１０の重量を抑えることができる。
【００８２】
下面３１７に設けられるリブの数は、任意の数でよい。天板３１０は、開口箱状に限ることなく、板状でもよい。なお、天板３１０が開口箱状である場合、天板３１０の下面３１７は、天板３１０の下方の空間と対向する全ての面を含むものとする。すなわち、各リブ３１７ａ〜３１７ｅの下端面や開口端３１７ｆなども下面３１７に含まれるものとする。
【００８３】
この例においても、天板３１０の上面３１６は、後端部３１０ａから前端部３１０ｂに向かって下降傾斜している。これにより、上面３１６に溜まった水が支持材３２０上に流れ落ち、支持材３２０の上面３２２に汚れが発生することを抑制することができる。
【００８４】
また、図９に表したように、天板３１０の前端部３１０ｂの厚みｔ４は、後端部３１０ａの厚みｔ３よりも薄い。天板３１０の厚みは、後端部３１０ａから前端部３１０ｂに向かって連続的に減少する。これにより、上面３１６の排水が流れてきやすい前端部３１０ｂの面積を小さく抑え、支持材３２０の清掃の手間を軽減しつつも、天板３１０の前端部３１０ｂの清掃性までをも向上させることができる。なお、本願明細書において、「天板３１０の厚み」とは、図９において矢線ｔ３、ｔ４で表すように、鉛直方向における天板３１０の下端から上端までの長さを指すものとする。
【００８５】
支持材本体３６０は、取付面３６１と、上面３６２と、を有する。上面３６２は、支持面３６２ａと、傾斜面３６２ｂと、を有する。支持面３６２ａは、支持材本体３６０が第１の壁面１１０に取り付けられた状態において水平方向と略平行である。傾斜面３６２ｂは、支持面３６２ａと取付面３６１とに接続されている。
【００８６】
支持材本体３６０のうちで天板３１０と第１の壁面１１０との間に存在する部分（中間部３２０ｍ）の横幅Ｄ６は、天板３１０の横幅Ｄ４よりも小さい。また、第１のカバー３４０および第２のカバー３５０が取り付けられた状態であっても、中間部３２０ｍの横幅Ｄ６は、天板３１０の横幅Ｄ４よりも小さい。これにより、水がかかりやすい支持材３２０の上面３２２の面積を小さく抑えることで、支持材３２０の上面３２２に水が溜まる面積を小さく抑えることができる。これにより、支持材３２０において水垢や石鹸カスなどによる汚れが発生する面積を抑えることができるため、支持材３２０を清掃する手間を低減することができる。
【００８７】
本変形例の第１のカバー３４０は、支持材本体３６０の傾斜面３６２ｂに取り付けられ、支持材本体３６０の傾斜面３６２ｂを覆う。第２のカバー３５０は、支持材本体３６０の下方に設けられ、支持材本体３６０の下面および支持材本体３６０の側面を覆う。つまり、第１のカバー３４０および第２のカバー３５０は、支持材本体３６０の外周を覆う。なお、支持材本体３６０の外周を覆うカバーは、第１のカバー３４０および第２のカバー３５０を有することには限定されず、１つの部材により形成されていてもよい。あるいは、支持材本体３６０の外周を覆うカバーは、３つ以上の部材を有していてもよい。
【００８８】
第１のカバー３４０は、傾斜面部３４１と、立面部３４２と、を有する。立面部３４２は、傾斜面部３４１と接続され、傾斜面部３４１の縁から傾斜面部３４１に対して略垂直方向に延在している。傾斜面部３４１は、支持材本体３６０の傾斜面３６２ｂに略沿う形状を有する。
【００８９】
傾斜面部３４１は、上面３４３（支持材の上面３２２）を有している。上面３４３は、第１の面３４３ａと、第２の面３４３ｂと、中央曲面３４３ｃと、を有している。第１の面３４３ａの一端は、中央曲面３４３ｃを介して、第２の面３４３ｂに接続されている。第１の面３４３ａの他端は、立面部３４２を介して天板３１０の下面３１７に接続されている。第２の面３４３ｂの一端は、第１の壁面１１０に接続されている。第２の面３４３ｂの他端は、中央曲面３４３ｃを介して、第１の面３４３ａに接続されている。
【００９０】
第１の面３４３ａの一部および第２の面３４３ｂは、上面視において、天板３１０の第１の側端面３１１と第１の壁面１１０との間に配置されるようにしている。これにより、支持材３２０をより視認しづらくできると共に、天板３１０から流れ落ちた水は、第１の面３４３ａを流れ落ちるため、支持材３２０の上面に水が溜まる面積を小さくすることができる。これにより、天板３１０をより浮いているように認識させることができるとともに、支持材３２０の上面の汚れが発生する面積を小さく抑えることができる。さらに、入隅３９１を清掃しやすくできる。
【００９１】
なお、このような効果は、第１の面３４３ａのような傾斜面および第２の面３４３ｂが、上面視において、天板３１０の第１の側端面３１１と第１の壁面１１０との間に配置されていれば得ることができる。
【００９２】
第２のカバー３５０は、下面３５１（支持材の下面３２４）を有している。支持材本体３６０が第１の壁面１１０に取り付けられた状態において、下面３５１は、天板３１０から第１の壁面１１０へ向かって下方へ傾斜している。
【００９３】
図９および図１０に表したように、支持材本体３６０が第１の壁面１１０に取り付けられた状態において、第１の面３４３ａは、天板３１０から第１の壁面１１０へ向かって下方へ傾斜している。第１の面３４３ａと、第１の壁面１１０と、の間には、入隅３９１が形成されている。支持材本体３６０が第１の壁面１１０に取り付けられた状態において、第２の面３４３ｂは、水平方向と略平行である。
【００９４】
本変形例によれば、第１のカバー３４０および第２のカバー３５０が支持材本体３６０の周囲を覆うことにより、支持材本体３６０は、比較的複雑な構造を有することができる。比較的複雑な構造としては、例えば、図８に表したように、天板３１０を支える耐荷重性を確保するためのリブ３６３が設けられた構造などが挙げられる。つまり、支持材本体３６０の周囲を第１のカバー３４０および第２のカバー３５０で覆うことにより、支持材３２０の周囲を平面や曲面などの面により形成することができる。これにより、支持材本体３６０の耐荷重性を確保しつつ、支持材３２０を比較的容易に清掃することができる。また、前述したように、第１の面３４３ａは、天板３１０から第１の壁面１１０へ向かって下方へ傾斜している。第２の面３４３ｂは、水平方向と略平行である。下面３５１は、天板３１０から第１の壁面１１０へ向かって下方へ傾斜している。
【００９５】
次に、本願発明者が実施した検討について、図面を参照しつつ説明する。  
図１１は、本願発明者が実施した検討を説明する模式的側面図である。  
本願発明者は、天板３１０の死角および水栓カウンタ本体４１０の死角について検討を行った。より具体的には、本願発明者は、使用者５６０が支持材３２０および支持材４２０を視認できない角度および高さについて検討を行った。
【００９６】
まず、本願発明者が得た知見によれば、一般的な風呂いすの高さは、主として２５０ｍｍ以上、３５０ｍｍ以下である。そのため、本検討では、風呂いす５５０の高さＤ２１の最大値を３５０ｍｍとし、風呂いす５５０の高さＤ２１の最小値を２５０ｍｍとした。
【００９７】
「日本人の人体寸法データブック２００４−２００６」（社団法人  人間生活工学研究センター）に記載された人体計測データによれば、２０歳以上８０歳以下の男性の座面から目線の高さ（「座位姿勢における水平な座面から外眼角点までの鉛直距離」）の９５パーセンタイル値は、８４８ｍｍである。また、２０歳以上８０歳以下の女性の座面から目線の高さの５パーセンタイル値は、６１７ｍｍである。そのため、本検討では、座面から目線の高さＤ２２の最大値を８４８ｍｍとし、座面から目線の高さＤ２２の最小値を６１７ｍｍとした。
【００９８】
これにより、洗い場１００から使用者５６０の目線の高さＤ２９の最大値は、１１９８ｍｍである。洗い場１００から使用者５６０の目線の高さＤ２９の最小値は、８６７ｍｍである。
【００９９】
前述した目線の高さＤ２９の範囲において、浴室用カウンタ３００、３０２および水栓カウンタ４００の前の風呂いす５５０に座った使用者５６０の目の位置と、第１の壁面１１０と、の間の距離Ｄ２３を６５０ｍｍとした。
【０１００】
天板３１０の第１の側端面３１１と、第１の壁面１１０と、の間の距離Ｄ２４を４０ｍｍとした。  
水栓カウンタ本体４１０の第２の側端面４１１と、第２の壁面１１０と、の間の距離Ｄ２５を３０ｍｍとした。  
洗い場１００と、浴室用カウンタ３００、３０２の天板３１０の上面３１６と、の間の距離Ｄ３１を３４５ｍｍとした。  
洗い場１００と、水栓カウンタ４００の水栓カウンタ本体４１０の上面４１６と、の間の距離Ｄ３２を７００ｍｍとした。
【０１０１】
このような条件において、本願発明者が実施した検討の結果は、次の通りである。すなわち、使用者５６０の目と支持材３２０の下端とを結ぶ仮想直線と、水平面と、の間のなす角度（θ１）が５７．５８°以下であれば、男女問わず成人の使用者のうち、大部分の使用者が支持材３２０の下端を視認できなくなる。図１１における角度Ｂ１４は、上記角度（θ１）が５７．５８°の状態を表している。
【０１０２】
使用者５６０の目と支持材３２０の上端とを結ぶ仮想直線と、水平面と、の間のなす角度（θ２）が５４．５４°以上であれば、男女問わず成人の使用者のうち、大部分の使用者が支持材３２０の上端を視認できなくなる。図１１における角度Ｂ１３は、上記角度（θ２）が５４．５４°の状態を表している。
【０１０３】
すなわち、支持材３２０の上端が、図１１における角度θ２が５４．５４°である場合に対応する仮想直線（破線Ｘ）よりも下方に位置し、支持材３２０の下端が、図１１における角度θ１が５７．５８°である場合に対応する仮想直線（破線Ｙ）よりも上方に位置するように支持材３２０を設ければ、成人の使用者のうち、大部分の使用者が支持材３２０を視認できなくなり、天板３１０を浮いているように見せることができる。このとき、使用者５６０が支持材３２０を視認できない高さであって、第１の壁面１１０の側の上端の高さＤ２６は、２８５ｍｍ以上、３０８ｍｍ以下である。
【０１０４】
なお、図１１の支持材３２０においては、支持材３２０の上面は、水平面に対し、１８．７°傾斜した斜面を有しており、支持材３２０の下面は、３９.０°の斜面を有するように構成している。
【０１０５】
使用者５６０の目と支持材４２０の下端とを結ぶ仮想直線と、水平面と、の間のなす角度（θ３）が２２．５１°以下であれば、男女問わず成人の使用者のうち、大部分の使用者が支持材４２０の下端を視認できなくなる。図１１における角度Ｂ１２は、上記角度（θ３）が２２．５１°の状態を表している。
【０１０６】
使用者５６０の目と支持材４２０の上端とを結ぶ仮想直線と、水平面と、の間のなす角度（θ４）が３８．４２°以上であれば、男女問わず成人の使用者のうち、大部分の使用者が支持材４２０の上端を視認できなくなる。図１１における角度Ｂ１１は、上記角度（θ４）が３８．４２°の状態を表している。
【０１０７】
すなわち、支持材４２０の上端が、図１１における角度θ４が３８．４２°である場合に対応する仮想直線（破線Ｍ）よりも下方に位置した場合には、成人の使用者のうち、大部分の使用者が支持材４２０の上端を視認できなくなる。一方、支持材４２０の下端が、図１１における角度θ３が２２．５１°である場合に対応する仮想直線（破線Ｎ）よりも上方に位置するように支持材４２０を設ければ、成人の使用者のうち、大部分の使用者が支持材４２０の下端を視認できなくなる。このようにして、水栓カウンタ本体４１０を浮いているように見せることができる。このとき、使用者５６０が支持材４２０を視認できない高さであって、第１の壁面１１０の側の上端の高さＤ２８は、６８２．５ｍｍ以上、７００ｍｍ以下である。
【０１０８】
なお、図１１の支持材４２０においては、支持材４２０の上面は、水平面に対し、２６．６°傾斜した斜面を有しており、支持材４２０の下面は、３１．８°の斜面を有するように構成している。
【０１０９】
次に、天板３１０の手入れ方法について、図面を参照しつつ説明する。  
図１２は、天板の手入れ方法の一例を例示する模式的平面図である。  
天板３１０の上面３１６には、洗面器内の水が一気に流されるなど、水が天板３１０の上面３１６に大量に流れることがある。この場合、水が天板３１０の略全体の周囲から側端面を伝って洗い場１００へ落下する。従って、水垢あるいは石鹸カスなどの汚れＤは、天板３１０の側端面に残留しやすい。
【０１１０】
例えば清掃者は、洗剤等を含ませた清掃用具Ｃで天板３１０の側端面を擦り洗いすることによって、天板３１０の側端面の下端に付着した汚れＤを落とすことができる。このとき、第１の側端面３１１と第１の壁面１１０との間の距離Ｄ１、第２の側端面３１２と浴槽２００の側面２１０との間の距離Ｄ２、および第３の側端面３１３と第２の壁面１２０との間の距離Ｄ３のそれぞれは、３０ｍｍ以上である。そのため、図１２に表したように、例えば清掃者は、清掃用具Ｃを掴んだ手指Ｆを隙間Ｓ１、Ｓ２、Ｓ３に容易に差し込むことができる。
【０１１１】
これにより、例えば清掃者は、天板３１０の全ての側端面を力を入れて擦り洗いすることができる。また、天板３１０の側端面に付着した汚れＤは、入隅に付着した汚れよりも容易に擦り落とすことができる。従って、天板３１０の側端面の下端などに付着した水垢や石鹸カスなどの汚れＤをより簡単に落とすことができる。これにより、天板３１０の側端面にカビが発生することを抑制することができる。
【０１１２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室１０及び浴室用カウンタ３００、３０２などが備える各要素の形状、寸法、材質、配置などや浴室用カウンタ３００、３０２の設置形態などは、例示したものに限定されるわけではなく適宜変更することができる。例えば、水栓カウンタ本体４１０および天板４１０ａは、直接的に支持材４２０で支持されていてもよいし、補強材などを介して間接的に支持材４２０で支持されていてもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１３】
１０ 浴室、  １００ 洗い場、  １１０ 第１の壁面、  １２０ 第２の壁面、  ２００ 浴槽、  ２１０ 側面、  ３００、３０２ 浴室用カウンタ、  ３１０ 天板、  ３１０ａ 後端部、  ３１０ｂ 前端部、  ３１１ 第１の側端面、  ３１２ 第２の側端面、  ３１３ 第３の側端面、  ３１４ 第４の側端面、  ３１６ 上面、  ３１７ 下面、  ３２０ 支持材、  ３２２ 上面、  ３２２ａ 傾斜面、  ３２２ｂ 部分、  ３２４ 下面、  ３２４ａ 傾斜面、  ３７１ 締結具、  ３７２ 締結具、  ４００ 水栓カウンタ、  ４０１ 吐水口、４０３ 下面、  ４１０ 水栓カウンタ本体、  ４１０ａ 天板、  ４１１ 第１の側端面、  ４１２ 第２の側端面、  ４１３ 第３の側端面、  ４１４ 第４の側端面、  ４１６ 上面、  ４１７ 下面、  ４２０ 支持材、  ４２２ 上面、  ４２２ａ 傾斜面、  ４２２ｂ 部分、  ４２４ 下面、  ４２４ａ 傾斜面、  ４２４ｂ 部分、  ４４１ 水栓、  ５００ 鏡、  ５５０ 風呂いす、  ５６０ 使用者
【図１】
0006699069.tif 000002
【図２】
0006699069.tif 000003
【図３】
0006699069.tif 000004
【図４】
0006699069.tif 000005
【図５】
0006699069.tif 000006
【図６】
0006699069.tif 000007
【図７】
0006699069.tif 000008
【図８】
0006699069.tif 000009
【図９】
0006699069.tif 000010
【図１０】
0006699069.tif 000011
【図１１】
0006699069.tif 000012
【図１２】
0006699069.tif 000013